(57)【要約】【課題】レースを予想する情報をレース情報表示画面から一度に得られるようにする。【解決手段】このレース情報表示システムは、競技場において開催されるレースの配当率を表すオッズ情報を大型モニター５へ出力するコンピュータ４を備える。コンピュータ４は、レースに出走する出走馬の番号に対する人気倍率を記憶するオッズ情報保存部４２と、出走馬の番号と馬名の一覧を記憶する出馬表保存部４４と、出走馬のレース履歴を記憶する成績情報記憶手段としての成績情報保存部４３と、出走馬の番号に対応させた馬名を縦に表示する馬名欄を設ける一方、多段の人気帯３１〜３４を横方向に設けたレース情報表示画面３０を表示すると共に、各出走馬の人気倍率に応じて該当人気帯に到達する高さの棒グラフを各馬名欄毎に生成して表示する画面表示処理部４６とを備える。【選択図】図１
2005259048.tif 000002
【特許請求の範囲】
【請求項１】
競技場において開催されるレースの情報をモニターへ出力するレース情報表示装置において、
前記レースに出走する出走馬の番号に対する人気倍率を記憶するレース情報記憶手段と、
前記出走馬の番号と馬名の一覧を記憶する出走馬情報記憶手段と、
前記出走馬の番号に対応させた馬名を縦に表示する馬名欄を設ける一方、この馬名欄の上部表示領域に多段の人気帯を横方向に設けたレース情報表示画面を表示するとともに、各出走馬の人気倍率に応じて該当人気帯に到達する高さの棒グラフを各馬名欄毎に生成し、各棒グラフに人気倍率から求めた人気順位を表示する手段と
を具備したことを特徴とするレース情報表示装置。
【請求項２】
請求項１記載のレース情報表示装置において、
前記出走馬情報記憶手段に記憶されている馬番に対する帽色を読み出して前記出走馬の番号毎に着色した帽色を前記レース情報表示画面の各棒グラフに対応させて表示する手段を具備したことを特徴とするレース情報表示装置。
【請求項３】
請求項１記載のレース情報表示装置において、
前記出走馬のレース履歴を記憶する成績情報記憶手段と、
前記成績情報記憶手段に記憶されたレース履歴に含まれる前走の情報を前記レース情報表示画面の各馬名に対応させて表示する手段と
を具備したことを特徴とするレース情報表示装置。
【請求項４】
請求項１記載のレース情報表示装置において、
最上位の人気帯に属する馬名を、他と異なるよう付色する手段を具備したことを特徴とするレース情報表示装置。
【請求項５】
競技場において開催されるレースの配当率を表すオッズ情報をモニターへ出力するレース情報表示装置に処理を実行させるプログラムにおいて、
前記レース情報表示装置を、
前記レースに出走する出走馬の番号に対する人気倍率を記憶するレース情報記憶手段と、
前記出走馬の番号と馬名の一覧を記憶する出走馬情報記憶手段と、
前記出走馬の番号に対応させた馬名を縦に表示する馬名欄を設ける一方、この馬名欄の上部表示領域に多段の人気帯を横方向に設けたレース情報表示画面を表示するとともに、各出走馬の人気倍率に応じて該当人気帯に到達する高さの棒グラフを各馬名欄毎に生成し、各棒グラフに人気倍率から求めた人気順位を表示する手段
として機能させることを特徴とするレース情報表示プログラム。
【請求項６】
競技場において開催されるレースの情報をメモリより読み出してモニターへ出力するレース情報表示装置におけるレース情報表示方法において、
前記メモリに記憶されていた出走馬の番号に対応させた馬名を読み出し、縦に表示する馬名欄を設けると共に、この馬名欄の上部表示領域に多段の人気帯を横方向に設けたレース情報表示画面を前記モニターに表示するステップと、
前記メモリに記憶されていた各出走馬の人気倍率を読み出し、人気倍率に応じて該当人気帯に到達する高さの棒グラフを前記レース情報表示画面の各馬名欄毎に生成して表示するステップと、
人気倍率から求めた人気順位を前記各棒グラフに表示するステップと
を有することを特徴とするレース情報表示方法。
【発明の詳細な説明】
【技術分野】
【０００１】
本発明は、例えば例えば競馬、競輪、競艇等の競技場に導入されるレース情報表示装置、レース情報表示プログラム、レース情報表示方法に関する。
【背景技術】
【０００２】
競馬、競輪、競艇等の競技場、勝馬投票券販売所(場外馬券売場)には、開催レースの情報(賭式毎のオッズ等)を観客、馬券購入者等に提供する場内テレビシステムが導入されている。
【０００３】
賭式としては、例えば競馬の場合、単勝式、複勝式、馬番号連勝複式(馬連、ワイド、三連複)、馬番号連勝単式（馬単）、枠番号連勝複式（枠連）等があり、これら個々の賭式のオッズ（人気倍率）を場内テレビシステムが表示することで、利用者は好みの情報を得ることができる。
場内テレビシステムの先行技術としては、例えば馬番号あるいは枠番号とオッズとを表形式で一覧表示する表示手段を備える装置がある（例えば特許文献１参照）。
【特許文献１】特開２００３−００００００号公報（図６、図１５、図１６）
【発明の開示】
【発明が解決しようとする課題】
【０００４】
しかしながら、このような従来の表示手段の場合、数字の表示だけであるため、利用者、つまりレースの予想を行う投票者の側に立ってみると、馬名や人気の状態が一目では分らず、新聞などに照らし合わせてみる必要があり、大変不便であった。
【０００５】
本発明はこのような課題を解決するためになされたもので、レースを予想する上で指標となる情報をレース情報表示画面から一度に得ることのできるレース情報表示装置、レース情報表示プログラム、レース情報表示方法を提供することを目的としている。
【課題を解決するための手段】
【０００６】
上記した課題を解決するために、本発明のレース情報表示装置は、競技場において開催されるレースの情報をモニターへ出力するレース情報表示装置において、前記レースに出走する出走馬の番号に対する人気倍率を記憶するレース情報記憶手段と、前記出走馬の番号と馬名の一覧を記憶する出走馬情報記憶手段と、前記出走馬の番号に対応させた馬名を縦に表示する馬名欄を設ける一方、この馬名欄の上部表示領域に多段の人気帯を横方向に設けたレース情報表示画面を表示するとともに、各出走馬の人気倍率に応じて該当人気帯に到達する高さの棒グラフを各馬名欄毎に生成し、各棒グラフに人気倍率から求めた人気順位を表示する手段とを具備したことを特徴とする。
上記レース情報表示装置において、出走馬情報記憶手段に記憶されている馬番に対する帽色を読み出して前記出走馬の番号毎に着色した帽色を前記レース情報表示画面の各棒グラフに対応させて表示する手段を備える。上記レース情報表示装置において、出走馬のレース履歴を記憶する成績情報記憶手段と、この成績情報記憶手段に記憶されたレース履歴に含まれる前走の情報をレース情報表示画面の各馬名に対応させて表示する手段とを備える。上記レース情報表示装置において、最上位の人気帯に属する馬名を、他と異なるよう付色する手段を備える。
【０００７】
本発明のレース情報表示プログラムは、競技場において開催されるレースの情報をモニターへ出力するレース情報表示装置に処理を実行させるプログラムにおいて、前記レース情報表示装置を、前記レースに出走する出走馬の番号に対する人気倍率を記憶するレース情報記憶手段と、前記出走馬の番号と馬名の一覧を記憶する出走馬情報記憶手段と、前記出走馬の番号に対応させた馬名を縦に表示する馬名欄を設ける一方、この馬名欄の上部表示領域に多段の人気帯を横方向に設けたレース情報表示画面を表示するとともに、各出走馬の人気倍率に応じて該当人気帯に到達する高さの棒グラフを各馬名欄毎に生成し、各棒グラフに人気倍率から求めた人気順位を表示する手段として機能させることを特徴とする。
【０００８】
本発明のレース情報表示方法は、競技場において開催されるレースの情報をメモリより読み出してモニターへ出力するレース情報表示装置におけるレース情報表示方法において、前記メモリに記憶されていた出走馬の番号に対応させた馬名を読み出し、縦に表示する馬名欄を設けると共に、この馬名欄の上部表示領域に多段の人気帯を横方向に設けたレース情報表示画面を前記モニターに表示するステップと、前記メモリに記憶されていた各出走馬の人気倍率を読み出し、人気倍率に応じて該当人気帯に到達する高さの棒グラフを前記レース情報表示画面の各馬名欄毎に生成して表示するステップと、人気倍率から求めた人気順位を前記各棒グラフに表示するステップとを有することを特徴とする。
【０００９】
この発明では、出走馬の番号に対応させた馬名を縦に表示する馬名欄を設ける一方、この馬名欄の上部表示領域に多段の人気帯を横方向に設けたレース情報表示画面を表示するとともに、各出走馬の人気倍率に応じて該当人気帯に到達する高さの棒グラフを各馬名欄毎に生成し、各棒グラフに人気倍率から求めた人気順位を表示するので、利用者がレースを予想する上で指標となる情報（人気馬の名前、オッズ、帽色、人気順位など）をレース情報表示画面から一度に得ることができる。
【発明の効果】
【００１０】
以上説明したように本発明によれば、レースを予想する上で指標となる情報をレース情報表示画面から一度に得ることができる。
【発明を実施するための最良の形態】
【００１１】
以下、本発明の実施の形態を図面を参照して詳細に説明する。図１は本発明に係る一つの実施形態のレース情報表示システムの構成を示す図である。
同図に示すように、このレース情報表示システムは、上位の配信システム１（以下上位システム１と称す）や文字放送を受信する文字放送システム２とＬＡＮ３を介して接続されたレース情報表示装置としてのコンピュータ４と、このコンピュータ４からＲＧＢ信号の形式で出力される映像を表示する大型モニター５とから構成されている。
【００１２】
文字放送システム２は、データ送信処理部２１を備えている。データ送信処理部２１は、上位システム１から配信されてきた、例えば競馬、競輪、競艇等の競技場において開催されるレース情報、出馬表情報、過去の成績情報などのデータを受信してＬＡＮ３を通じてコンピュータ４へ送信する。
【００１３】
コンピュータ４は、ＣＰＵ、メモリ、ハードディスク装置、キーボード等を備えたものであり、ハードディスク装置には、オペレーティングシステム(以下ＯＳと称す)を含むアプリケーションプログラムが記憶されている。アプリケーションプログラムの一つに、制御プログラムがある。制御プログラムは、上位システム１や文字放送システム２よりレース情報、出馬表情報、成績情報を受信してメモリに記憶し、メモリに記憶した各種情報を編集処理して大型モニター５にグラフ表示する機能を備えている。この制御プログラムとＣＰＵ、メモリなどのハードウェアにより、コンピュータ４は、以下の機能を実現するものである。
すなわち、コンピュータ４は、上位システム１から配信されてきたデータを受信する手段としてのデータ受信処理部４１と、オッズ情報保存部４２と、成績情報保存部４３と、出馬表保存部４４と、これら保存部に該当受信データを記憶する保存制御手段としてのデータ保存制御部４５と、画面表示処理手段として画面表示処理部４６とを有する。オッズ情報保存部４２、成績情報保存部４３及び出馬表保存部４４などはメモリあるいはハードディスク装置内に一つの記憶領域として設けられる。
【００１４】
データ受信処理部４１は、上位システム１や文字放送システム２よりＬＡＮ３を通じてレース情報、出馬表情報、過去の成績情報などのデータを受信し、データ保存制御部４５へ送出する。データ保存制御部４５は、受け取ったレース情報から抽出したレースの配当率を表すオッズ情報をオッズ情報保存部４２に保存する。データ保存制御部４５は、受け取った成績情報を成績情報保存部４３に保存する。データ保存制御部４５は、受け取った出馬表情報を出馬表保存部４４に保存する。
【００１５】
画面表示処理部４６は、オッズ情報保存部４２に保存されたオッズ情報と、成績情報保存部４３に保存された成績情報と、出馬表保存部４４に保存された出馬表情報とを基に、グラフ形式のレース情報表示画面を生成し、ＲＧＢ形式で大型モニター５へ出力する。
より具体的には、画面表示処理部４６は、レース情報表示画面３０（図３参照）に、出走馬の番号に対応させた馬名を縦に表示する馬名欄を設ける一方、この馬名欄の上部表示領域に多段の人気帯３１〜３４を横方向に設ける。また、各出走馬の人気倍率（オッズ）に応じて該当人気帯に到達する高さの棒グラフを各馬名欄毎に生成して表示し、各棒グラフの上部に人気倍率から求めた人気順位を表示する。
また、画面表示処理部４６は、出馬表保存部４４に保存された出馬表情報の中の馬番に対する帽色を読み出して出走馬の番号毎に着色した帽色をレース情報表示画面の各棒グラフに対応させて表示する。画面表示処理部４６は、成績情報保存部４３に保存された成績情報であるレース履歴に含まれる前走の情報（前走の着順、馬体重など）をレース情報表示画面３０の各馬名に対応させて表示する。画面表示処理部４６は、最上位の人気帯３１に属する馬名を、他と異なるよう付色（色分けあるいは強調）して表示する。
【００１６】
上記レース情報は、個々の競技場において開催されるレースの情報であり、図２に示すように、場コード、年、回、日、レース番号等の番組情報と、オッズ識別情報、登録頭数、出走頭数、単勝、複勝、枠連、馬連、ワイド、馬単、三連複、三連単等の賭式情報と、それぞれの賭式における配当率を示すオッズ情報とから構成されている。
【００１７】
オッズ情報は、例えば18頭の馬が出走するレースの場合、18通りの複勝オッズ、36通りの枠連オッズ、153通りの馬連オッズ、153通りのワイドオッズ、306通りの馬単オッズ、816通りの三連複オッズ、今後、追加される賭式の一つとしての4896通りの三連単オッズ等を有している。これらのデータは、シリアルなデータとして伝送および受信される。
成績情報は、競馬の組織に登録されている馬の名前（馬名）に対応させた過去の競走実績（その馬の過去のレース毎の馬番、枠番、着順、賞金など）や休養の実績（放牧された月日）などのレース履歴である。レース履歴には前走の情報（前走の着順、馬体重など）が含まれている。
出馬表情報は、レースに出走する馬に関するさまざまな情報であり、例えば馬名に対応させた本日のレースの枠番、馬番、ジョッキー名、帽色、積載重量、馬の年齢、出生情報（血統（父、母など）、出生地、厩舎など）である。
【００１８】
すなわち、このレース情報表示システムは、競技場において開催されるレースの配当率を表すオッズ情報を大型モニター５へ出力するレース情報表示装置としてのコンピュータ４を備える。コンピュータ４は、レースに出走する出走馬の番号に対する人気倍率を記憶するレース情報記憶手段としてのオッズ情報保存部４２と、出走馬の番号と馬名の一覧を記憶する出走馬情報記憶手段としての出馬表保存部４４と、出走馬のレース履歴を記憶する成績情報記憶手段としての成績情報保存部４３と、出走馬の番号に対応させた馬名を縦に表示する馬名欄を設ける一方、多段の人気帯３１〜３４を横方向に設けたレース情報表示画面３０を表示するとともに、各出走馬の人気倍率に応じて該当人気帯に到達する高さの棒グラフを各馬名欄毎に生成し、各棒グラフに人気倍率から求めた人気順位を表示する手段としての画面表示処理部４６とを備える。
【００１９】
以下、このレース情報表示システムの動作を説明する。なお、ここでは、説明を簡単にするために、12頭の馬が出走するレースにおいて、レース情報表示画面に、馬名、馬番、人気帯に対応した棒グラフ、単勝オッズ、帽色、前走成績などを一覧表示する例を示す。
この実施形態のレース情報表示システムの場合、上位システム１から配信されたデータをデータ送信処理部２１が受信すると、データ送信処理部２１は、文字放送の中のレース情報、出馬表情報、成績情報などをＬＡＮ３を通じてコンピュータ４のデータ受信処理部４１に同時あるいは順次送信する。
【００２０】
コンピュータ４では、ＬＡＮ３を通じてレース情報がデータ受信処理部４１に受信されると、データ受信処理部４１は、受信したレース情報をデータ保存制御部４５に渡す。データ保存制御部４５は、受け取ったレース情報からオッズ情報を抽出し、オッズ情報保存部４２に保存する。
また、ＬＡＮ３を通じて成績情報がデータ受信処理部４１に受信されると、データ受信処理部４１は、受信した成績情報をデータ保存制御部４５に渡す。データ保存制御部４５は、受け取った成績情報を成績情報保存部４３に保存する。
さらに、ＬＡＮ３を通じて出馬表情報がデータ受信処理部４１に受信されると、データ受信処理部４１は、受信した出馬表情報をデータ保存制御部４５に渡す。データ保存制御部４５は、受け取った出馬表情報を出馬表保存部４４に保存する。
画面表示処理部４６は、オッズ情報保存部４２に保存されたオッズ情報、出馬表保存部４４に保存された出馬表情報、成績情報保存部４３に保存された成績情報を基に馬名オッズグラフ、つまりオッズ情報表示画面を生成する。
【００２１】
図２に示すように、レース情報表示画面３０は、縦２１行、横４０行で区分された情報表示区画を有しており、各区画の単位に情報を表示するようになる。
【００２２】
この場合、図３に示す手順で各情報の編集処理が行なわれる。
画面表示処理部４６は、複数の人気帯、この場合、画面の上半分程度の幅（上から１３行）の中に横方向に複数の人気帯（この例では第１人気帯３１〜第４人気帯３４を４本色分けして）作成及び表示すると共に（Ｓ１０１）、オッズ情報保存部４２に保存されているオッズ情報と出走頭数とか各人気帯毎にオッズ値の幅を示す情報（以下オッズ値幅という）を演算し、各帯の最左位置(左端の１列目から３列目の区画)に表示する。第１人気帯３１の色は、上位が濃い色で下位の人気帯に下がるにつれて薄くして表示する。例えば第１人気帯３１は山吹色、第２人気帯３２はレモン色、第３人気帯３３肌色、第４人気帯３４は薄黄色などとする。
【００２３】
この場合、第１人気帯３１〜第４人気帯３４は、それぞれ縦３区画の幅で作成される。また、オッズ値幅は、例えば第１人気帯３１は１〜９倍、第２人気帯３２は１０〜１９倍、第３人気帯３３は２０〜４９倍、第４人気帯３４は５０倍以上というように求められ、各帯に表示される。
オッズ値幅の求め方としては、予めメモリなどに固定値で設定しておいた各人気帯のオッズ値幅（１〜９倍、１０〜１９倍、２０〜４９倍、５０倍以上）を読み出す場合と、個々のレースのオッズ値のばらつき具合から上位４頭の馬が第１人気帯３１に入るように出走馬のオッズ値に基づいて演算して求める方法がある。
【００２４】
オッズ値幅を演算により求める場合、以下の手順で行う。
まず、画面表示処理部４６は、オッズ情報保存部４２に保存されているオッズ情報から出走頭数をチェックする。
【００２５】
画面表示処理部４６は、人気帯色のオッズ値幅を、大きく区分した順位として設定する。画面表示処理部４６は、これを人気帯色分、繰り返す。
【００２６】
すなわち、画面表示処理部４６は、出走頭数の中から上位５頭のオッズ値を抽出して、第１人気帯３１に挿入するオッズ値幅を設定する。このケースの場合、一番人気から２.２倍、６.５倍、８.４倍、８.５倍、１１.６という順位である。第１人気帯３１の上限値は、「１」という数値が予めメモリに設定されている。また、第１人気帯３１の下限値は、上位４位までを入れるため、４位の８.５倍と５位の１１.６倍との間の数値をメモリに設定する。この場合、例えば「９」を第１人気帯３１の下限値とし、「１０」を第２人気帯３２の上限値としてメモリに設定する。この結果、第１人気帯３１は、「１」から「９」という値がメモリに設定され、第２人気帯３２の上限値が「１０」という値がメモリに設定される。
【００２７】
続いて、画面表示処理部４６は、出走頭数の中から５位から９位までのオッズ値を抽出して、上記同様に第２人気帯３２に挿入するオッズ値幅、つまり第２人気帯３２の下限値と第３人気帯３３の上限値を決定する。
この演算を第２人気帯３２から第４人気帯３４の上限値まで行い、第４人気帯３４の下限値については、求めた上限値に続けて「以上」、〜などを挿入して表示する。このケースの場合、第４人気帯３４の上限値が「５０」なので、オッズ値幅としては、５０〜と表示される。
【００２８】
画面表示処理部４６は、オッズ情報保存部４２に保存されている中の対象レースに出走する出走馬の最初の馬番（１）のオッズ値（２２.３倍）から該当人気帯に到達する高さのグラフを生成すると共に、グラフ上部に、出走馬の中の人気順位（１１）を表示する（Ｓ１０２）。以降、これを最後の馬番（１２）まで繰り返す。
【００２９】
画面表示処理部４６は、出馬表保存部４４から、馬番に対応した馬名を読み出して人気馬とそれ以外の馬とに色分けして該当棒グラフの下欄に表示する（Ｓ１０３）。この場合、人気馬は第１人気帯３１に設定（表示）した馬とする。
画面表示処理部４６は、成績情報保存部４３に保存されている成績情報から各馬の前回の結果（前走成績）を読み出して、該当馬名の下欄（２１行）に表示する（Ｓ１０４）。
【００３０】
画面表示処理部４６は、成績情報保存部４３に保存されている成績情報から各馬の前回出走時の馬体重と、出馬表保存部４４に記憶されている今回の出走馬の馬体重との体重差を求めて該当馬名の下欄（２０行）に表示する（Ｓ１０５）。なお、この他、表示スペースが許す限り、例えば血統父母などを表示することもできる。
【００３１】
このようにこの実施形態のレース情報表示システムによれば、レースに出走する出走馬の馬番に対応させて馬名、人気順を示す棒グラフ、帽色、前走との体重差などを一覧表示するレース情報表示画面３０を大型モニター５に表示することで、投票券を購入しようとしている利用者、あるいはレースの勝ち馬を予想する利用者は、人気の高い馬を視覚的に認知することができる。また、レース情報表示画面３０に前走着順を表示することで、馬の実力と人気を定着させることができる。人気を知らせる棒グラフと馬名を組み合わせることで、初出走当初から馬の知名度を上げる効果が得られる。
【００３２】
オッズに加えて、馬名、前走成績、血統父母を対応付けて表示することで、利用者が馬の人気・実力を図る尺度となる情報をタイムリーに提供することができる。
最上位の人気帯にある馬を例えば１〜４頭程度に絞り込み、そのオッズ値幅をオッズ倍率の分布状態に応じて可変して表示することで、利用者は、常に人気の上位１〜４頭の馬を容易に識別できるようになり、投票券をボックスで購入することが容易になる。
人気帯については、各帯色に馬を常に分布させることで、人気の違いを識別し易くできる。
【００３３】
なお、上記実施形態では、１２頭立てのレースの例について説明したが、この場合、右横の表示部分が空くため、この領域（余白）に、枠連、複勝などのオッズを表示するようにしても良い。また、アスペクト比が４対３ではなく、１６対９などの横長画面の場合も横方向に余白ができるためさらに多くの情報を表示できる。
【図面の簡単な説明】
【００３４】
【図１】本発明に係る一つの実施の形態のレース情報表示システムの構成を示す図。
【図２】図１のレース情報表示システムのレース情報表示画面に表示する情報を生成するフローチャート。
【図３】図１のレース情報表示システムの大型画面モニターに表示されるレース情報表示画面の一例を示す図。
【符号の説明】
【００３５】
１…上位システム、２…文字放送システム、３…ＬＡＮ、４…コンピュータ、５…大型モニター、２１…データ送信処理部、３０…レース情報表示画面、４１…データ受信処理部、４２…オッズ情報保存部、４３…成績情報保存部、４４…出馬表保存部、４４…出馬表保存部、４５…データ保存制御部、４６…画面表示処理部。
【図１】
2005259048.tif 000003
【図２】
2005259048.tif 000004
【図３】
2005259048.tif 000005